(57)【要約】      （修正有）【課題】分析用具がトレイに非正規の向きで、あるいはキャップ未装着の状態で載置されたことを使用者が容易に認識できるようにする分析装置を提供する。【解決手段】分析装置は、分析用具４２が載置される載置部を備え、装置本体から突出した突出位置と装置本体側へ退避した退避位置とを移動可能なトレイ１２６と、トレイ１２６に設けられ、分析用具４２の一面が載置部に対向し所定の載置方向で載置された正規状態では端部支持片および中央部支持片で分析用具４２を支持し、分析用具４２の一面が載置部と対向しない姿勢又は載置方向と異なる方向で載置された非正規状態では載置部からはみ出した姿勢とする支持部１３４と、を有する。【選択図】図９
2020024146.tif 000002
【特許請求の範囲】
【請求項１】
直方体状で長手方向と平行な一面において前記長手方向の中央部分に位置する中央部と前記中央部に対し前記長手方向の端部側に位置し前記長手方向と直交する方向で前記中央部との段差を有する段差部とを備えた分析用具を保持し、前記分析用具に収容された検体の成分を分析する装置本体と、
前記分析用具が載置される載置部を備え、前記装置本体から突出した突出位置と前記装置本体側へ退避した退避位置とを移動可能なトレイと、
前記トレイに設けられ、前記分析用具の前記長手方向の中心よりも前記端部側にずれた位置にある中央部支持片と、前記中央部支持片よりも前記分析用具の前記端部側に位置する端部支持片と、を含む支持部と、
を有し、
前記分析用具の前記一面が前記載置部に対向し且つ前記長手方向が所定の載置方向で載置された正規状態では前記中央部支持片によって前記中央部を支持すると共に前記端部支持片によって前記段差部を支持し、前記分析用具の前記一面が前記載置部と対向しない姿勢又は前記載置方向と異なる方向で載置された非正規状態では前記分析用具を部分的に前記載置部からはみ出した姿勢とするように前記中央部支持片と前記端部支持片とが前記載置部で異なる高さ位置にある分析装置。
【請求項２】
前記中央部支持片が、前記分析用具の前記長手方向の中心よりも前記トレイの前記装置本体への挿入方向の奥側にずれた位置にある請求項１に記載の分析装置。
【請求項３】
前記分析用具は、前記段差部を有する一端部と、前記長手方向で前記一端部の反対側の他端部と、を備え、
前記正規状態では、前記端部支持片により前記一端部及び前記他端部をそれぞれ支持すると共に前記中央部支持片により前記中央部を支持し、前記非正規状態では前記端部支持片により前記一端部と前記他端部のいずれか一方を支持すると共に前記中央部支持片により前記中央部を支持して前記分析用具を傾斜姿勢とする請求項１又は請求項２に記載の分析装置。
【請求項４】
前記段差部は、前記中央部よりも前記長手方向と直交する方向に突出した突出部であり、
前記端部支持片は、前記中央部支持片よりも下方に位置する請求項１〜請求項３のいずれか１項に記載の分析装置。
【請求項５】
前記分析用具にはキャップが装着され、前記突出部は前記キャップにより形成される請求項４に記載の分析装置。
【請求項６】
前記端部支持片のうち前記トレイの前記装置本体への挿入方向の奥側の前記端部支持片が、前記正規状態の前記分析用具に装着された前記キャップを支持する請求項５に記載の分析装置。
【請求項７】
前記トレイに設けられ前記載置部の下方で前記トレイを貫通する貫通部と、
前記貫通部の下方に設けられ傾斜状態の前記分析用具を支持する下側支持片と、
を有し、
前記非正規状態では前記下側支持片が前記分析用具を前記載置部から部分的に下側にはみ出した姿勢で支持する請求項１〜請求項６のいずれか１項に記載の分析装置。
【発明の詳細な説明】
【技術分野】
【０００１】
本発明は、分析装置に関する。
【背景技術】
【０００２】
試料中の成分を分析する分析装置の例として、たとえば、特許文献１に示されるように台箱内に、出し入れ自在に構成され取手を有する攪拌精製部が内蔵された蛋白質スクリーニング装置がある。
【先行技術文献】
【特許文献】
【０００３】
【特許文献１】特開２００７−１３９６３５号公報
【発明の概要】
【発明が解決しようとする課題】
【０００４】
このような分析装置では、検体を収容した分析用具は、あらかじめ決められた向きでトレイ（載置部材）に載置され、このトレイが装置本体に対しスライドにより出し入れされる。
【０００５】
また、分析用具として、キャップが装着された状態でトレイに載置されるタイプのものがある。
【０００６】
したがって、分析用具が非正規の（正しくない）向きでトレイに載置されたり、キャップが未装着の状態でトレイに載置されたりしないようにすることが望まれる。
【０００７】
本発明の目的は、分析用具がトレイに非正規の向きで、あるいはキャップ未装着の状態で載置されたことを使用者が容易に認識できるようにすることである。
【課題を解決するための手段】
【０００８】
第一態様では、直方体状で長手方向と平行な一面において前記長手方向の中央部分に位置する中央部と前記中央部に対し前記長手方向の端部側に位置し前記長手方向と直交する方向で前記中央部との段差を有する段差部とを備えた分析用具を保持し、前記分析用具に収容された検体の成分を分析する装置本体と、前記分析用具が載置される載置部を備え、前記装置本体から突出した突出位置と前記装置本体側へ退避した退避位置とを移動可能なトレイと、前記トレイに設けられ、前記分析用具の前記長手方向の中心よりも前記端部側にずれた位置にある中央部支持片と、前記中央部支持片よりも前記分析用具の前記端部側に位置する端部支持片と、を含む支持部と、を有し、前記分析用具の前記一面が前記載置部に対向し且つ前記長手方向が所定の載置方向で載置された正規状態では前記中央部支持片によって前記中央部を支持すると共に前記端部支持片によって前記段差部を支持し、前記分析用具の前記一面が前記載置部と対向しない姿勢又は前記載置方向と異なる方向で載置された非正規状態では前記分析用具を部分的に前記載置部からはみ出した姿勢とするように前記中央部支持片と前記端部支持片とが前記載置部で異なる高さ位置にある。
【０００９】
この分析装置では、分析用具を保持する。分析用具は直方体状であり、長手方向と平行な一面において、中央部分の中央部と端部側の段差部とを有している。トレイが突出位置にある状態で、トレイの載置部に分析用具を載置できる。そして、トレイを退避位置へ移動させることで、分析用具を装置本体の内部の所定位置に配置することができる。
【００１０】
トレイには、中央部支持片と端部支持片と、を含む支持部が設けられている。中央部支持片と端部支持片とは、載置部で異なる高さ位置にある。そして、分析用具の一面が載置部に対向し且つ長手方向が所定の載置方向で載置された正規状態では、中央部支持片によって中央部を支持すると共に端部支持片によって段差部を支持する。
【００１１】
これに対し、分析用具の非正規状態、すなわち、分析用具の一面が載置部と対向しない姿勢又は載置方向と異なる方向で載置された状態では、中央部支持片と端部支持片とは、分析用具を部分的に載置部からはみ出した姿勢とする。特に、中央部支持片が分析用具の端部側にずれた位置にあることで、非正規状態の分析用具を傾斜させることができる。したがって、分析用具が載置部に非正規状態で載置されると、分析装置の使用者は、視認により、分析用具が非正規状態にあることを容易に知ることができる。また、たとえば、トレイが突出位置から退避位置へ移動する際に、分析用具において載置部からはみ出した部分が、装置本体に接触するようにすることも可能である。これにより、非正規状態の分析用具を装置本体内に送り込むことを抑制できる。
【００１２】
第二態様では、第一態様において、前記中央部支持片が、前記分析用具の前記長手方向の中心よりも前記トレイの前記装置本体への挿入方向の奥側にずれた位置にある。
【００１３】
これにより、中央部支持片によって非正規状態の分析用具を支持した状態で、分析用具は、装置本体の挿入方向の奥側が上昇するように傾斜する。分析用具における奥側の端面が載置部からはみ出すので、この状態で載置部材を退避位置に移動させたときに分析用具が分析装置に突き当たって、退避位置への移動が阻止される。
【００１４】
第三態様では、第一又は第二態様において、前記分析用具は、前記段差部を有する一端部と、前記長手方向で前記一端部の反対側の他端部と、を備え、前記正規状態では、前記端部支持片により前記一端部及び前記他端部をそれぞれ支持すると共に前記中央部支持片により前記中央部を支持し、前記非正規状態では前記端部支持片により前記一端部と前記他端部のいずれか一方を支持すると共に前記中央部支持片により前記中央部を支持して前記分析用具を傾斜姿勢とする。
【００１５】
分析用具は、中央部と、一端部（段差部を有する）と、他端部とを有している。分析用具の正規状態では、端部支持片により一端部及び他端部をそれぞれ支持すると共に中央部支持片により中央部を支持する。３箇所で分析用具を支持するので、分析用具の姿勢が安定する。
【００１６】
分析用具の非正規状態では、端部支持片により一端部と他端部のいずれか一方を支持すると共に中央部支持片により前記中央部を支持し、分析用具を傾斜姿勢とする。このように分析用具を傾斜させて支持することで、分析用具が載置部からはみ出した状態を確実に実現できる。
【００１７】
第四態様では、第一〜第三のいずれか１つの態様において、前記段差部は、前記中央部よりも前記長手方向と直交する方向に突出した突出部であり、前記端部支持片は、前記中央部支持片よりも下方に位置する。
【００１８】
段差部が突出部である分析用具では、一面を下にして正規状態で載置部に載置される、突出部が中央部よりも下側に突出する。端部支持片は中央部支持片よりも下方に位置するので、このように下側に突出した突出部に接触して支持できる。
【００１９】
第五態様では、第四態様において、前記分析用具にはキャップが装着され、前記突出部は前記キャップにより形成される。
【００２０】
キャップにより形成された突出部に対し、中央部支持片よりも下方に位置する端部支持片が接触し、分析用具を支持できる。
【００２１】
第六態様では、第五態様において、前記端部支持片のうち前記トレイの前記装置本体への挿入方向の奥側の前記端部支持片が、前記正規状態の前記分析用具に装着された前記キャップを支持する。
【００２２】
奥側の端部支持片は、正規状態の分析用具に装着されたキャップを支持するので、キャップが装着された状態の分析用具を安定的に支持できる。
【００２３】
第七態様では、第一〜第六のいずれか１つの態様において、前記トレイに設けられ前記載置部の下方で前記トレイを貫通する貫通部と、前記貫通部の下方に設けられ傾斜状態の前記分析用具を支持する下側支持片と、を有し、前記非正規状態では前記下側支持片が前記分析用具を前記載置部から部分的に下側にはみ出した姿勢で支持する。
【００２４】
載置部に分析用具が載置された状態で、たとえば、分析装置の内部で、貫通部から支持台により分析用具を下側から支持したり、所定の処理を施したりすることが可能である。
【００２５】
分析用具の非正規状態では、下側支持片が前記分析用具を前記載置部から部分的に下側にはみ出した姿勢で支持する。このため、貫通部を通過して分析用具が落下する事態を抑制できる。
【発明の効果】
【００２６】
本発明では、分析用具が載置部材に非正規の向きで、あるいはキャップ未装着の状態で載置されたことを使用者が容易に認識できる。
【図面の簡単な説明】
【００２７】
【図１】図１は第一実施形態の分析装置の外観を示す斜視図である。
【図２】図２は分析装置での分析に用いられる分析用具を示す斜視図である。
【図３】図３は図２に示す分析用具を示す平面図である。
【図４】図４は図２に示す分析用具を示す側面図である。
【図５】図５は第一実施形態の分析装置の載置部材を装置本体の一部と共に示す斜視図である。
【図６】図６は第一実施形態の分析装置の載置部材におけるトレイを示す斜視図である。
【図７】図７は第一実施形態の分析装置の載置部材におけるトレイを示す平面図である。
【図８】図８は第一実施形態の分析装置の載置部材におけるトレイを示す図７の８−８線断面図である。
【図９】図９は第一実施形態の分析装置の載置部材においてトレイに正規状態で分析用具が載置された状態を図８と同様の断面で示す断面図である。
【図１０】図１０は第一実施形態の分析装置の載置部材においてトレイに非正規状態で分析用具が載置された状態を示す斜視図である。
【図１１】図１１は第一実施形態の分析装置の載置部材においてトレイに非正規状態で分析用具が載置された状態を図８と同様の断面で示す断面図である。
【図１２】図１２は第一実施形態の分析装置の載置部材においてトレイに非正規状態で分析用具が載置された状態を示す斜視図である。
【図１３】図１３は第一実施形態の分析装置の載置部材においてトレイに非正規状態で分析用具が載置された状態を示す斜視図である。
【図１４】図１４は第一実施形態の分析装置の載置部材においてトレイに非正規状態で分析用具が載置された状態を示す斜視図である。
【発明を実施するための形態】
【００２８】
［第一実施形態］
第一実施形態の分析装置について、以下、図面を参照して説明する。本実施形態の分析装置は、たとえば、血液に含まれる糖化ヘモグロビンの量を分析する装置である。血液は、試料の一例であり、検体と称されることもある。糖化ヘモグロビンは、分析装置による分析対象の一例である。
【００２９】
＜分析装置の外観構成＞
図１に示すように、分析装置１０２は装置本体１０４を有する。本実施形態では、装置本体１０４は、略直方体の箱状に形成されている。以下では、分析装置１０２における上下方向、幅方向、及び奥行方向を、それぞれ矢印Ｕ、矢印Ｗ、矢印Ｄで示す。矢印Ｗ方向、矢印Ｄ方向、及び矢印Ｗ方向と矢印Ｄ方向を合成した方向は、いずれも水平方向である。また、分析装置１０２の奥行方向の奥側及び手前側をそれぞれ矢印ＤＡ、矢印ＤＢで示す。以下、単に「奥側」及び「手前側」というときは、分析装置１０２の奥側及び手前側を意味する。
【００３０】
装置本体１０４は、その外形を成すカバー１０６を有している。カバー１０６は通常状態では装置本体１０４の内部を覆っているが、所定の操作を行うことで取り外すことができる。カバー１０６を取り外した状態では、装置本体１０４の内部が露出する。
【００３１】
装置本体１０４には、図示しないタッチパネルが設けられている。分析作業の作業者は、タッチパネルに表示された情報を参照しながら、タッチパネルに接触することで、分析装置１０２を操作することができる。
【００３２】
また、装置本体１０４には、図示しないプリンターが設けられている。分析装置１０２は、試料を分析した結果をプリンターで印刷することが可能である。
【００３３】
装置本体１０４の手前面１０８には、開閉蓋１１４が設けられている。開閉蓋１１４の奥側には、トレイ１２６が取り付けられている。開閉蓋１１４及びトレイ１２６は、開閉機構１１６によって手前側に移動した突出位置ＰＢ（二点鎖線で示す）と、奥側へ移動して開閉蓋１１４が手前面１０８と面一になった退避位置ＰＡ（実線で示す）との間をスライド可能である。退避位置ＰＡでは、トレイ１２６は装置本体１０４の内部に退避している。トレイ１２６が退避位置ＰＡにある状態では、載置部１２０に載置された分析用具４２の試料（検体）に対し、資料の分析を行ったり所定の処理を施したりすることが可能である。これに対し、トレイ１２６が突出位置ＰＢにある状態では、トレイ１２６の載置部１２０に試料（検体）を含む分析用具４２を載置することができる。
【００３４】
＜分析用具の構成＞
図２に示すように、本実施形態の分析用具４２は、一例として、直方体状の分析用具本体４６を有している。分析用具本体４６の長手方向の一端側（矢印Ｄ１方向側）にキャップ４４が装着される。キャップ４４が装着された状態においても、分析用具４２は全体として直方体状である。この「直方体状」には、各面に段差、突出部分、傾斜、局所的な凹み等があっても、全体として視たときに、概ね長方形状であり、全体として直方体とみなせる形状を含む。
【００３５】
図３にも示すように、キャップ４４は、分析用具本体４６よりも幅広の部材であり、分析用具本体４６への装着状態では、分析用具本体４６よりも幅方向に出っ張る出張部４４Ａと、一端側（矢印Ｄ１方向側）に出っ張る出張部４４Ｃが生じる。また、図４に示すように、分析用具本体４６へのキャップ４４の装着状態では、分析用具本体４６の下面４６Ｐ側に出張部４４Ｂが生じる。下面４６Ｐは、分析用具４２の長手方向（奥行方向）と平行な面であり、分析用具４２における「一面」の例である。そして、下面４６Ｐにおいて、分析用具４２の長手方向の中央部分には、中央部４２Ｍが位置している。本実施形態では、下面４６Ｐは、中央部４２Ｍから他端側へと平面状に連続している。出張部４４Ｂは、中央部４２Ｍよりも下方（長手方向と直交する方向）に突出した突出部の一例である。さらに、出張部４４Ｂは、中央部４２Ｍに対し段差を有する部分であり、段差部の一例でもある。
【００３６】
分析用具４２は、キャップ４４が装着された状態で、キャップ４４が奥側になり、且つ、出張部４４Ｂ、すなわち下面４２Ｓが下側になる姿勢で、トレイ１２６の載置部１２０に載置される。このような姿勢で載置部１２０に載置された状態が、正規状態である。分析用具４２においても、便宜的に、トレイ１２６にセットされた状態での上下方向、幅方向、及び奥行方向を、それぞれ矢印Ｕ、矢印Ｗ、矢印Ｄで示す。また、分析用具４２の奥前側及び手前側をそれぞれ矢印Ｄ１、矢印Ｄ２で示す。
【００３７】
＜トレイの構成＞
図５に示すように、トレイ１２６の下方には、矢印Ｄ１方向及び矢印Ｄ２方向にスライドするスライダ１２２が配置されている。スライダ１２２とトレイ１２６とはリンク１２８によって連結されており、トレイ１２６はスライダ１２２に対し平行な状態を維持しつつ接離（上下動）する。
【００３８】
図６〜図８に示すように、トレイ１２６の平面視における中央には、貫通部１３３が形成されている。貫通部１３３は、トレイ１２６を厚み方向（上下方向）に貫通する部位である。そして、貫通部１３３の上方が、分析用具４２が載置される載置部１２０である。装置本体１０４の内部では、たとえば、貫通部１３３を通じて分析用具４２を支持台等で支持することが可能である。
【００３９】
載置部１２０の内面には、複数箇所に支持片１３４が設けられている。本実施形態では、載置部１２０の長手方向の奥側にキャップ支持片１３４Ａが設けられ、手前側に後部支持片１３４Ｂが設けられている。さらに、載置部１２０の長手方向中央部分には、中央部支持片１３４Ｃが設けられている。キャップ支持片１３４Ａ及び後部支持片１３４Ｂは、端部支持片の例である。また、キャップ支持片１３４Ａ、後部支持片１３４Ｂ及び中央部支持片１３４Ｄは支持部の例である。
【００４０】
本実施形態の分析用具４２では、キャップ４４が装着された状態で、出張部４４Ｂが生じている。この出張部４４Ｂに対応して、キャップ支持片１３４Ａは、後部支持片１３４Ｂ及び中央部支持片１３４Ｃよりも相対的に低い位置にある。また、中央部支持片１３４Ｃは分析用具４２を中央部４２Ｍで支持するのに対し、後部支持片１３４Ｂは、分析用具本体４６の高さ方向の中間部分に設けられた支持凹部４６Ｍ等で分析用具４２を支持する。したがって、後部支持片１３４Ｂは、中央部支持片１３４Ｃよりも、相対的に高い位置にある。
【００４１】
また、本実施形態では、図７及び図８に示すように、中央部支持片１３４Ｃは、載置部１２０の長手方向の真中（載置部１２０に載置された分析用具４２の長手方向の中央）よりも奥側（矢印Ｄ１方向側）にずれた位置にある（オフセットされている）。
【００４２】
なお、キャップ支持片１３４Ａは、幅方向に間隔をあけて、３つ設けられている。中央部支持片１３４Ｃは、幅方向に間隔をあけて、２つ設けられている。これに対し、後部支持片１３４Ｂは、載置部１２０の幅方向の中央に１つ設けられている。
【００４３】
ここで、分析用具４２の「正規状態」とは、上記したように、分析用具本体４６にキャップ４４が装着され（図２〜図４参照）、且つ載置部１２０に正規の向きで載置された状態である。これに対し、分析用具本体４６にキャップ４４が装着されずに載置部１２０に載置された状態、及び、分析用具本体４６が載置部１２０に正規でない向きで載置された状態を「非正規状態」とする。
【００４４】
図９に示すように、分析用具４２が正規状態ＮＳで載置部１２０に載置されると、キャップ支持片１３４Ａは、分析用具４２のキャップ４４を下方から支持する。また、後部支持片１３４Ｂは、分析用具４２の分析用具本体４６の後端部分（支持凹部４６Ｍ）を下方から支持する。さらに、中央部支持片１３４Ｃは、分析用具４２の中央部４２Ｍを下方から支持する。分析用具４２は、正規状態ＮＳにおいて、このように３箇所の支持片１３４によって支持され、載置部１２０に収まった（載置部１２０から突出しない）状態を安定的に維持できる。換言すれば、正規状態ＮＳでは載置部１２０に載置された分析用具４２が載置部１２０に収まるように、支持片１３４のそれぞれが分析用具４２の形状に対応して分析用具４２を下方から接触して支持できるように、その位置を決められている。
【００４５】
これに対し、図１０〜図１４に例示するように、分析用具４２が非正規状態ＡＳで載置部１２０に載置されると、３箇所の支持片１３４のうち、いずれか２箇所又は１箇所の支持片１３４で分析用具４２を支持し、分析用具４２が載置部１２０からはみ出した姿勢となる。たとえば図１０〜図１２に示すように、キャップ４４が装着されない状態の分析用具４２が載置部１２０に載置されると、キャップ４４がないために奥側が軽くなること、及び、中央部支持片１３４Ｃが奥側にずれた位置にあること、等により、分析用具４２が、奥側が上向くように傾斜した姿勢となる。
【００４６】
図１３は、分析用具４２がキャップ４４を装着されず、且つ上下（天地）を逆にして載置部１２０に載置された状態の例である。この状態であっても、分析用具４２が、奥側が上向くように傾斜した状態で、中央部支持片１３４Ｃ及び後部支持片１３４Ｂにより支持される。
【００４７】
図１４は、分析用具４２がキャップ４４を装着されず、且つ横向き（長手方向の軸線Ｊ−１を中心に９０度回転した姿勢）で載置部１２０に載置された状態の例である。この状態であっても、分析用具４２が、奥側が上向くように傾斜した状態で、中央部支持片１３４Ｃ及び後部支持片１３４Ｂにより支持される。
【００４８】
後部支持片１３４Ｂのさらに下方には、下側支持片１４８が設けられている。下側支持片１４８は、中央部支持片１３４Ｃによって支持されているが後部支持片１３４Ｂには支持されることなく傾斜してしまった分析用具４２の後部を支持する部材である。これにより、分析用具４２が中央部支持片１３４Ｃを中心として矢印Ｒ３方向に回転することを抑制し、貫通部１３３から分析用具４２が落下することを抑制する。
【００４９】
図６及び図７に示すように、載置部１２０における奥側には、載置部１２０を部分的に幅広とした幅広載置部１２０Ｗが形成されている。この幅広載置部１２０Ｗは、キャップ４４が装着された状態の分析用具４２に対応している。すなわち、分析用具４２が正規状態ＮＳで載置部１２０に載置されると、幅広載置部１２０Ｗは、分析用具本体４６に装着されたキャップ４４（出張部４４Ａ）を収容することが可能である。これに対し、載置部１２０における手前側には、載置部１２０を部分的に幅広とした形状の部分は形成されていない。したがって、たとえばキャップ４４が装着された分析用具４２を、前後（奥側と手前側）を逆にして載置部１２０に載置しようとしても、出張部４４Ａが載置部１２０の幅方向両側でトレイ１２６に接触する。すなわち、分析用具４２の手前側（今の場合はキャップ４４が装着された側）が載置部１２０からはみ出し、分析用具４２は傾斜した姿勢となる。この状態では、中央部支持片１３４Ｃが分析用具４２に接触し、分析用具４２を支持する。分析用具４２は、載置部１２０からはみ出した出張部４４Ａがトレイ１２６に支持されると共に、長手方向の中央部分が中央部支持片１３４Ｃに支持される。
【００５０】
次に、本実施形態の分析装置１０２の作用について説明する。
【００５１】
分析装置１０２を用いて、資料の分析を行う場合には、図１に二点鎖線で示すように、トレイ１２６を手前側にスライドさせて突出位置ＰＢとしておく。
【００５２】
そして、試料（検体）が収容された分析用具４２を、トレイ１２６の載置部１２０に載置する。
【００５３】
図９には、分析用具４２が、トレイ１２６の載置部１２０に正規状態ＮＳで載置された例が示されている。載置部１２０に正規状態ＮＳで載置された分析用具４２は、３箇所の支持片１３４によって支持され、載置部１２０から突出しない状態を安定的に維持できる。
【００５４】
そして、分析装置１０２の使用者は、載置部１２０から突出していない分析用具４２を視認することで、分析用具４２が正規状態ＮＳで載置部１２０に載置されていることを知ることができる。
【００５５】
また、分析用具４２が載置部１２０から突出しないので、トレイ１２６が突出位置ＰＢから退避位置ＰＡへ移動する際に、分析用具４２は装置本体１０４と不用意に干渉せず、確実に退避位置ＰＡへ移動できる。
【００５６】
図１０〜図１４には、分析用具４２が、トレイ１２６の載置部１２０に非正規状態ＡＳで載置された各種の例が示されている。
【００５７】
図１０〜図１２は、分析用具４２が、分析用具本体４６に対しキャップ４４を装着されない状態（但し正規状態ＮＳと同じ向き）でトレイ１２６の載置部１２０に載置された状態の例である。分析用具本体４６の天面４６Ｔが斜め上を向いている。
【００５８】
この場合、分析用具４２の奥側はキャップ４４がないため軽量であり、相対的に手前側が重くなる。また、載置部材１１８の３つの載置部１２０のうち、中央部支持片１３４Ｃは奥側にずれた位置にある。キャップ４４が装着されていない分析用具４２（分析用具本体４６）がわずかに奥側に載置されると、分析用具本体４６は後部支持片１３４Ｂに接触せず、分析用具４２の奥側が上になるように分析用具４２が傾斜する。すなわち、分析用具４２の奥側が、載置部１２０から上方へはみ出すように傾斜した姿勢となる。
【００５９】
分析装置１０２の使用者は、載置部１２０においてこのように傾斜した分析用具４２を視認することで、分析用具４２が非正規状態ＡＳであることを知ることが可能である。
【００６０】
図１３は、分析用具４２が、キャップ４４を装着されず、且つ、上下（天地）を反転された状態で載置部１２０に載置された状態の例である。この例では、分析用具本体４６の底面４６Ｂが斜め上を向いている。
【００６１】
図１４は、分析用具４２が、キャップ４４を装着されず、且つ、横向き（長手方向の軸線Ｊ−１を中心に９０度回転した姿勢）で載置部１２０に載置された状態の例である。この例では、分析用具本体４６の側面４６Ｓが斜め上を向いている。
【００６２】
図１０〜図１４に示すいずれの場合であっても、分析用具４２は、奥側が上がるように傾斜して１箇所又は２箇所の支持片１３４により支持される。したがって、分析装置１０２の使用者は、傾斜した分析用具４２を視認し、分析用具４２が非正規状態ＡＳであることを知ることが可能である。
【００６３】
また、分析用具４２の非正規状態ＡＳで、トレイ１２６を突出位置ＰＢから退避位置ＰＡへ移動させようとすると、移動途中で、分析用具４２のはみ出し部分が装置本体１０４の手前面１０８に当たる（図１０と同様）。すなわち、非正規状態ＡＳの分析用具４２を装置本体１０４内（退避位置ＰＡ）に移動させてしまう事態を避けることができる。
【００６４】
さらに、本実施形態では、載置部材１１８に下側支持片１４８が設けられている。分析用具４２が、中央部支持片１３４Ｃによって支持されているが後部支持片１３４Ｂには支持されることなく傾斜してしまった場合に、下側支持片１４８は、図９に示すように、分析用具４２の後部（支持凹部４６Ｍ等）を支持する。すなわち、分析用具４２は、中央部支持片１３４Ｃと下側支持片１４８によって支持される。これにより、分析用具４２が貫通部１３３を通り抜けて落下することを抑制できる。
【００６５】
本実施形態の分析用具４２は、分析用具本体４６に対しキャップ４４を装着された構造である。分析装置１０２は、支持片１３４の例としてキャップ支持片１３４Ａを有しているので、非正規状態ＡＳにある分析用具４２に対し、キャップ４４にも下方から接触して、分析用具４２を安定的に支持できる。
【００６６】
本実施形態では、支持片１３４として、端部支持片（キャップ支持片１３４Ａ及び後端支持片１３４Ｂ）と、中央部支持片１３４Ｃとを有している。正規状態ＮＳの分析用具４２を支持する場合に、端部支持片は分析用具４２の長手方向の一端側（キャップ４４側）と他端側（後端側）で支持する。中央部支持片１３４Ｃから十分に離間した位置で分析用具４２に接触するので、端部支持片が中央部支持片１３４Ｃに接近した位置で分析用具４２を支持する構造と比較して、安定的に支持できる。
【００６７】
また、中央部支持片１３４Ｃは、奥側にずれた位置にある。したがって、非正規状態ＡＳＡＳで載置部１２０に載置された分析用具４２が傾斜する（載置部１２０からはみ出した姿勢となる）状態をより確実に実現可能である。
【００６８】
中央部支持片１３４Ｃは、本実施形態では奥側にずれた位置にある。これに代えて、中央部支持片１３４Ｃは手前側にずれた位置にあっても、非正規状態ＡＳの分析用具４２を傾斜させることは可能である。本実施形態のように中央部支持片１３４Ｃを奥側にずれた位置とすることで、非正規状態ＡＳにある分析用具４２は、奥側が上昇するように傾斜される。これにより、分析用具４２が非正規状態ＡＳにあるとき、載置部材１１８が退避位置ＰＡへ移動しても、非正規状態ＡＳにある分析用具４２の奥側部分が装置本体１０４に接触し、載置部材１１８の移動を抑制する状態を実現できる。
【００６９】
本実施形態において、支持片１３４の位置及び形状は、載置部１２０に載置する分析用具４２の形状、特に、支持片１３４のそれぞれが接触する部分である分析用具４２の底面形状や支持部分の位置に適合させて設定される。したがって、支持片１３４のそれぞれの位置及び形状が、上記実施形態に示したものに限定されないことはもちろんである。そして、支持片１３４のそれぞれが分析用具４２の底面形状や支持部分の位置に適合させて設定されているので、分析用具４２の正規状態ＮＳでは載置部１２０からはみ出さないように分析用具１３４を複数の支持片１３４で支持して、載置部１２０に載置できる。また、複数の支持片１３４は互いに異なる高さ位置に設定されているので、分析用具４２の非正規状態ＡＳでは、複数の支持片１３４のいずれかが分析用具４２に接触しなかったり、正規状態ＮＳにおける接触位置よりも高い位置で接触したりする。このため、複数の支持片１３４により分析用具４２を傾いた姿勢で支持し、載置部１２０からはみ出した状態とすることができる。
【００７０】
上記では、分析用具４２の突出部の例として、キャップ４４の出張部４４Ｂを例示したが、突出部はこのような出張部４４Ｂに限定されない。たとえば、キャップ４４ではなく、分析用具本体４６に形成された突出部（出張部分）であってもよい。さらに、突出部は、分析用具４２における段差部の例であるが、段差部は突出部に限定されない。たとえば、中央部４２Ｍから部分的に凹んだ部分であっても、この凹みは、中央部４２Ｍに対し段差を有しており、段差部である。段差部は、中央部４２Ｍと平行である必要はなく、傾斜していてもよいし、湾曲していてもよい。
【符号の説明】
【００７１】
４２   分析用具
４４   キャップ
４６   分析用具本体
１０２ 分析装置
１０４ 装置本体
１１８ 載置部材
１２０ 載置部
１２６ トレイ
１３４ 支持片
１３４Ａ      キャップ支持片（端部支持片の一例）
１３４Ｂ      後部支持片（端部支持片の一例）
１３４Ｃ      中央部支持片
１４８ 下側支持片
【図１】
2020024146.tif 000003
【図２】
2020024146.tif 000004
【図３】
2020024146.tif 000005
【図４】
2020024146.tif 000006
【図５】
2020024146.tif 000007
【図６】
2020024146.tif 000008
【図７】
2020024146.tif 000009
【図８】
2020024146.tif 000010
【図９】
2020024146.tif 000011
【図１０】
2020024146.tif 000012
【図１１】
2020024146.tif 000013
【図１２】
2020024146.tif 000014
【図１３】
2020024146.tif 000015
【図１４】
2020024146.tif 000016